(57)【特許請求の範囲】
【請求項１】
躯体に固定された枠と、該枠に支持された上障子および下障子と、を有する上げ下げ窓において、
前記枠の下枠に、不燃材料で形成され上面が前記下枠の下面よりも上側に配置される台座が固定され、
該台座は、室内側の端部が前記下障子の見込み方向の重心よりも室内側に配置され、前記下障子と上下方向に重なる位置に配置されていることを特徴とする上げ下げ窓。
【請求項２】
前記台座は、前記上面が室外側から室内側に向かって漸次上側に向かうように傾斜している請求項１に記載の上げ下げ窓。
【請求項３】
前記下枠には、前記下障子の下框の下側において前記下框と上下方向に対向する位置まで水平方向に突出する突出部が不燃材料で形成されているとともに、前記下框の下側には前記突出部に対向して係合突片が形成されている請求項１又は２に記載の上げ下げ窓。
【請求項４】
不燃材料で形成され、前記下障子の上框の見付け方向の両端部にそれぞれ見付け方向外側に突出可能に支持された軸部と、
不燃材料で形成され、前記枠の一対の縦枠にそれぞれ固定されて前記上框から突出した前記軸部が挿抜可能な孔部が形成された軸部係止部材と、を有する請求項１乃至３のいずれか一項に記載の上げ下げ窓。
【請求項５】
前記枠の一対の縦枠間に設けられ該一対の縦枠に固定された無目を有し、
該無目と前記下障子の上框との間に加熱発泡材が設けられている請求項１乃至４のいずれか一項に記載の上げ下げ窓。
【発明の詳細な説明】
【技術分野】
【０００１】
本発明は、上げ下げ窓に関する。
【背景技術】
【０００２】
下障子が縦枠の上部に設けられたバランサーのワイヤに吊られている上げ下げ窓では、火災時にバランサーが溶解することで下障子が下側に下がり、上障子の下部と下障子の上部との間に隙間ができたり、下障子が倒れたりして防火性能が低下する虞がある。
このため、上障子の煙返しが下障子の煙返しを係止して、下障子の下がりや倒れを防止する上げ下げ窓が知られている（例えば、特許文献１参照）。
また、下枠における下障子と上下方向に重なる位置に、上側に突出する突起部を設け、下障子の下框に形成された凹部に突起部が嵌合することで下障子の下がりを防止する上げ下げ窓も知られている（例えば、特許文献２参照）。
【先行技術文献】
【特許文献】
【０００３】
【特許文献１】特開２０１５−５９３２０号公報
【特許文献２】特開２０１４−１１８６９７号公報
【発明の概要】
【発明が解決しようとする課題】
【０００４】
しかしながら、特許文献１に開示されたような下障子の上框が上障子の下框の室内側に配置される構造の上げ下げ窓では、下障子の煙返しを上障子の煙返しに係止させることが可能であるが、下障子の上框が上障子の下框の下側に配置され上障子と下障子とが面一となる構造の上げ下げ窓では、下障子の煙返しを上障子の煙返しに係止させることが困難である。
また、特許文献２に開示されたような上げ下げ窓では、火災時に下障子の下がりを防止できても、下障子が倒れる虞がある。下障子は上框の室外側に上障子の下框などが配置されているため、火災時にバランサーが溶解しても下障子の上框が上障子の下框などに引っ掛かり室外側に倒れにくいが、上框の室内側には何もないため、火災時にバランサーが溶解すると室内側に倒れやすいことになる。
【０００５】
そこで、本発明は、火災時に下障子が下がることや下障子が室内側へ倒れることを防止できる上げ下げ窓を提供することを目的とする。
【課題を解決するための手段】
【０００６】
上記目的を達成するため、本発明に係る上げ下げ窓は、躯体に固定された枠と、該枠に支持された上障子および下障子と、を有する上げ下げ窓において、前記枠の下枠に、不燃材料で形成され上面が前記下枠の下面よりも上側に配置される台座が固定され、該台座は、室内側の端部が前記下障子の見込み方向の重心よりも室内側に配置され、前記下障子と上下方向に重なる位置に配置されていることを特徴とする。
【０００７】
本発明では、下障子の下側に不燃材料で形成された台座が設けられていることにより、火災時にバランサーが溶解しても下障子が台座の上に載った状態となるため、下障子が下がることを防止することができる。
また、台座は、室内側の端部が下障子の見込み方向の重心よりも室内側に配置され、下障子と上下方向に重なる位置に配置されていることにより、下障子が室内側に倒れることを防止できる。
そして、火災時に下障子が下がることを防止できるとともに、下障子が室内側に倒れることを防止できることにより、上げ下げ窓の防火性能を向上させることができる。
【０００８】
また、本発明に係る上げ下げ窓では、前記台座は、前記上面が室外側から室内側に向かって漸次上側に向かうように傾斜していることが好ましい。
このような構成とすることにより、下障子が台座の上に載った状態となると、台座の上面に沿って上側が下側よりも室外側となるように傾斜するため、下障子が室内側に倒れることを防止できる。
【０００９】
また、本発明に係る上げ下げ窓では、前記下枠には、前記下障子の下框の下側において前記下框と上下方向に対向する位置まで水平方向に突出する突出部が不燃材料で形成されているとともに、前記下框の下側には前記突出部に対向して係合突片が形成されていることが好ましい。
このような構成とすることにより、火災時にバランサーが溶解しても下障子が突出部の上に載った状態となるとともに下框の係合突片が突出部に係合するため、下障子が下がることを防止することができる。
【００１０】
また、本発明に係る上げ下げ窓では、不燃材料で形成され、前記下障子の上框の見付け方向の両端部にそれぞれ見付け方向外側に突出可能に支持された軸部と、不燃材料で形成され、前記枠の一対の縦枠にそれぞれ固定されて前記上框から突出した前記軸部が挿抜可能な孔部が形成された軸部係止部材と、を有することが好ましい。
このような構成とすることにより、軸部が軸部係止部材の孔部に挿入され軸部が軸部係止部材に係止されることで、下障子の上框が一対の縦枠に係止されるため、火災時に下障子が下がることを防止できるとともに、下障子が室内側に倒れることを防止できる。また、下障子の上下方向の移動が拘束されるため、火災時の熱によって下障子が上側に延びることを防止できる。
【００１１】
また、本発明に係る上げ下げ窓では、前記枠の一対の縦枠間に設けられ該一対の縦枠に固定された無目を有し、該無目と前記下障子の上框との間に加熱発泡材が設けられていることが好ましい。
このような構成とすることにより、火災時に下障子が傾いて無目と下障子の上框との間に隙間が生じても、加熱発泡材が発泡して無目と下障子の上框との隙間を塞ぐことができる。
【発明の効果】
【００１２】
本発明によれば、火災時に下障子が下がることや下障子が室内側へ倒れることを防止できて、上げ下げ窓の防火性能を向上させることができる。
【図面の簡単な説明】
【００１３】
【図１】本発明の実施形態による上げ下げ窓の一例を示す正面図である。
【図２】下枠および下障子の下框を説明する図である。
【図３】（ａ）は台座を見付け方向から見た図、（ｂ）は台座を上側から見た図である。
【図４】下枠および台座を上側から見た図である。
【図５】下障子の上框、軸部および軸部係止部材を説明する図である。
【図６】図５のＡ−Ａ線断面に対応する図で軸部および軸部係止部材を説明する図であるある。
【図７】（ａ）は軸部係止部材を見付け方向から見た図、（ｂ）は（ａ）のＢ方向矢視図、（ｃ）は（ｂ）のＣ方向矢視図である。
【発明を実施するための形態】
【００１４】
以下、本発明の実施形態による上げ下げ窓について、図１乃至図７に基づいて説明する。
図１に示すように、本実施形態による上げ下げ窓１は、建物１１の室外側と室内側とを仕切る壁部（躯体）１２の開口部に固定された枠２と、枠２の内側に配置された上障子３および下障子４と、を有している。また、上げ下げ窓１は、枠２の下枠５に取り付けられて下障子４の下側に配置された台座６と、下障子４から見付け方向外側に突出可能な軸部７，７と、枠２の一対の縦枠８，８にそれぞれ取り付けられて軸部７，７を係止可能な軸部係止部材９，９と、を有している。
本実施形態では、上げ下げ窓１は、アルミニウムと樹脂の複合サッシで構成されている。
【００１５】
枠２は、見付け方向に延在する上枠２１および下枠５と、上下方向に延在し上枠２１および下枠５それぞれの見付け方向の両端部に連結された一対の縦枠８，８と、見付け方向に延在し見付け方向の両端部がそれぞれ一対の縦枠８，８の上下方向の中間部に固定された無目２２と、を有している。
【００１６】
本実施形態では、上障子３は、一対の縦枠８，８の間で上枠２１と無目２２との間に配置され、無目２２に固定されている。下障子４は、一対の縦枠８，８の間に配置されて、上下方向に移動して一対の縦枠８，８の間で無目２２と下枠５との間の開口を開閉可能に構成されている。下障子４は、一対の縦枠８，８に設けられたバランサーのワイヤ（不図示）に支持されている。
【００１７】
図２に示すように、下枠５は、アルミニウムを材料に形成されて壁部１２に固定されたアルミ下枠５１と、樹脂を材料に形成されてアルミ下枠５１に係止された樹脂カバー５２と、を有している。アルミ下枠５１は、室外側に設けられる室外側部材５１１と、室内側に設けられる室内側部材５１２と、室外側部材５１１と室内側部材５１２とを連結するブリッジ材５１３と、を有している。
【００１８】
室外側部材５１１は、壁部１２の開口部の縁部の下側の部分に沿って配置される第１下枠下板部５１４と、第１下枠下板部５１４の室外側の端部から上側に延びる下枠外板部５１５と、を有している。
室内側部材５１２は、第１下枠下板部５１４の室内側において壁部１２の開口部の縁部の下側の部分に沿って配置される第２下枠下板部５１６と、第２下枠下板部５１６の室内側の端部から上側に延びる下枠内板部５１７と、を有している。
【００１９】
アルミ下枠５１は、室外側部材５１１の第１下枠下板部５１４と、室内側部材５１２の第２下枠下板部５１６とがブリッジ材５１３で連結され、室外側部材５１１の下枠外板部５１５と、室内側部材５１２の下枠内板部５１７とが見込み方向に間隔をあけて対向配置している。
また、アルミ下枠５１には、第１下枠下板部５１４、下枠外板部５１５、第２下枠下板部５１６、および下枠内板部５１７に囲まれた凹部５１８が形成され、この凹部５１８の内部における第１下枠下板部５１４の見付け方向の両端部近傍それぞれに台座６，６が固定されている。
【００２０】
第１下枠下板部５１４には、見込み方向の中間部に、樹脂カバー５２の室外側の端部を係止する第１樹脂カバー係止部５１４ａが見付け方向の略全体にわたって形成され、第１樹脂カバー係止部５１４ａよりも室外側に、台座６を固定するネジなどの固定具６４が挿通される第１孔部５１４ｂが形成されている。また、第１下枠下板部５１４には、第１孔部５１４ｂ，５１４ｂ…よりも室外側に上側に突出し見付け方向の略全体にわたって延びる凸条５１４ｃが形成されている。
【００２１】
下枠外板部５１５には、高さ方向の中間部に室内側に突出する突出板部（突出部）５１５ａが形成されている。突出板部５１５ａの室内側の先端部５１５ｂは、上側に屈曲している。
また、下枠外板部５１５には、上端部近傍に下障子４の下框４２と当接するパッキン５３を係止するパッキン係止部５１５ｃが形成されている。
【００２２】
下枠内板部５１７には、上端部近傍に、室外側に突出し、樹脂カバー５２を係止する第２樹脂カバー係止部５１７ａが形成されている。
樹脂カバー５２は、第１樹脂カバー係止部５１４ａおよび第２樹脂カバー係止部５１７ａに係止されると、第１下枠下板部５１４の上面の第１樹脂カバー係止部５１４ａよりも室内側の部分、第２下枠下板部５１６の上面および下枠内板部５１７の室外側の面を覆っている。
【００２３】
図２乃至図４に示すように、台座６は、第１下枠下板部５１４の上面に固定される固定板部６１と、固定板部６１の室内側の縁部から上側に突出する鉛直板部６２と、鉛直板部６２の上端部から室内側に向かって漸次上側に向かう斜め方向に延びる上板部６３と、を有している。
固定板部６１は、板面が水平面となるように配置されるとともに見付け方向に長い長方形状に形成されている。固定板部６１には、縦枠８に近接する側に固定具６４が挿通される２つの孔部６１１，６１１が見付け方向に間隔をあけて形成されている。
固定板部６１は、室外側の端部が第１下枠下板部５１４の凸条５１４ｃの室内側となるように配置され、孔部６１１，６１１に挿通された固定具６４，６４によって第１下枠下板部５１４に固定されている。
【００２４】
鉛直板部６２は、固定板部６１の室内側の縁部のうちの縦枠８と離間する側から上側に延びている。
上板部６３は、鉛直板部６２の上縁部全体から室内側に向かって漸次上側に向かう斜め方向に延びている。上板部６３は、下枠外板部５１５から室内側に突出する突出板部５１５ａの先端部よりも室内側で、突出板部５１５ａよりも下側に配置されている。
上板部６３は、室内側の端部が下障子４の見込み方向の重心よりも室内側に配置され、少なくとも下障子４のうちの見込み方向の重心よりも室外側と対向するように配置されている。
【００２５】
図１に戻り、下障子４は、見付け方向に延在する上框４１および下框４２と、上下方向に延在する一対の縦框４８，４８と、これらの框の内側に組み込まれた複層ガラス４３と、を有している。本実施形態では、複層ガラス４３のガラスのうち、室外側に配置されるガラスは網入りガラスとなっている。
【００２６】
図２に示すように、下框４２は、室内側に配置されアルミニウムを材料に形成されたアルミ下框４４と、室外側に配置され樹脂を材料に形成されてアルミ下框４４と連結された樹脂カバー４５と、を有している。
アルミ下框４４は、複層ガラス４３の下側に配置される第１下框下板部４４１と、第１下框下板部４４１の室外側の縁部から上側に突出し複層ガラス４３の室外側に間隔をあけて配置される下框外板部４４２と、下框外板部４４２の上端部から室内側に複層ガラス４３の側面まで延びる第１下框上板部４４３と、を有している。
【００２７】
第１下框下板部４４１には、見込み方向の中間部に、それぞれ見付け方向に延在し下側に突出する第１突出板部４４１ａおよび第２突出板部４４１ｂが見込み方向に間隔をあけて形成されている。第１突出板部４４１ａは、第２突出板部４４１ｂの室外側に配置されている。第１突出板部４４１ａには、下端部に室内側に延びる第１水平板部４４１ｃが形成され、第２突出板部４４１ｂには、下端部に室外側に延びる第２水平板部４４１ｄが形成されている。第１水平板部４４１ｃと第２水平板部４４１ｄとは略同じ高さに配置され、それぞれの台座６の上板部６３の上側に配置されている。
また、第１下框下板部４４１には、室内側の端部近傍に樹脂カバー４５を係止する樹脂カバー係止部４４１ｅが形成され、室外側の端部に下側に突出する第３突出板部（係合突片）４４１ｆが形成されている。第３突出板部４４１ｆは、下框外板部４４２の下端部と連続していて、下框外板部４４２と室外側の面が面一に配置されている。
【００２８】
樹脂カバー４５は、複層ガラス４３の下側に配置される第２下框下板部４５１と、第２下框下板部４５１の室内側の端部から上側に延び複層ガラス４３の室内側に配置される下框内板部４５２と、下框内板部４５２の上端部から室外側に複層ガラス４３の側面まで延びる第２下框上板部４５３と、下框内板部４５２の上端部から室内側に延びる下框上板部４５４と、を有している、
第２下框下板部４５１には、室外側の端部近傍にアルミ下框４４の第１下框下板部４４１に係止される被係止部４５１ａが形成されている、被係止部４５１ａが樹脂カバー係止部４４１ｅに係止されることで、第１下框下板部４４１と第２下框下板部４５１とが連結されている。
【００２９】
このような下障子４は、無目２２と下枠５との間の開口を閉鎖すると、第１下框下板部４４１および第２下框下板部４５１とが、第１下枠下板部５１４および第２下枠下板部５１６と上下方向に間隔をあけて対向し、下框外板部４４２が下枠外板部５１５と見込み方向に間隔をあけて対向する。
なお、下框内板部４５２は、下枠内板部５１７よりも上側に配置され、下枠内板部５１７と見付け方向に対向していない。
このとき、第１下框下板部４４１の室外側の端部近傍は、下枠外板部５１５から室内側に突出する突出部板５１５ａの上側に配置され、上下方向に対向している。また、下枠外板部５１５は、下枠外板部５１５に係止されたパッキン５３と当接している。
【００３０】
図５に示すように、下障子４の上框４１は、室内側に配置されアルミニウムを材料に形成されたアルミ上框４６と、室外側に配置され樹脂を材料に形成されてアルミ上框４６と連結された樹脂カバー４７と、を有している。
アルミ上框４６は、複層ガラス４３の上側に配置される第１上框上板部４６１と、第１上框上板部４６１の室外側の縁部から下側に突出し複層ガラス４３の室外側に間隔をあけて配置される上框外板部４６２と、上框外板部４６２の下端部から複層ガラス４３の側面まで延びる第１上框下板部４６３と、第１上框上板部４６１の室内側の端部近傍から上側に延びる突出板部４６４と、を有している。
【００３１】
第１上框上板部４６１には、室内側の端部近傍に樹脂カバー４７を係止する第１樹脂カバー係止部４６１ａが形成されている。突出板部４６４には、上端部に樹脂カバー４７を係止する第２樹脂カバー係止部４６４ａが形成されている。樹脂カバー４７は、第１樹脂カバー係止部４６１ａおよび第２樹脂カバー係止部４６４ａに係止されると、アルミ上框４６の室外側および上側を覆い、室内側からアルミ上框４６が見えないように構成されている。
また、突出板部４６４には、室内側の面に軸部７を支持可能な軸支持部４６４ｂが形成されている。軸支持部４６４ｂは、軸部７を見付け方向に移動可能に支持している。
【００３２】
図５および図６に示すように、軸部７は、見付け方向に延在する棒状に形成され、見付け方向に直交する鉛直面による断面形状が下側に開口する略Ｃ字形状となるように形成されている。軸部７は、室内側に配置されて軸支持部４６４ｂに支持される第１板部７１と、第１板部７１の上端部から室外側に延びる第２板部７２と、第２板部７２の室外側の縁部から下側に延びる第３板部７３と、を有している。
軸部７は、見付け方向外側の端部近傍の上側が縦枠８に近づく側に向かって漸次下側に向かう斜め形状に切断されている。このため、軸部の見付け方向外側の端部近傍では、上側に配置される第２板部７２が切断されている。
【００３３】
軸部７は、見付け方向に進退可能で、上框４１の見付け方向の両端部から縦枠８に近づく側に突出可能に構成されている。軸部７は、縦枠８に近づく側に突出すると縦枠８に取り付けられた軸部係止部材９の孔部９１ａに挿抜可能に構成されている。軸部７の軸部係止部材９の孔部９１ａに挿抜は、使用者の操作によって行われる。
なお、軸部７は、上げ下げ窓１の鍵として設けられていてもよいし、上げ下げ窓１の鍵とは別に設けられていてもよい。
【００３４】
図５乃至図７に示すように、一対の軸部係止部材９，９は、それぞれ不燃材料で形成され、下障子４が無目２２と下枠５との間に配置された際に下障子４の上框４１に支持された軸部７と見付け方向に重なる位置に配置されるように一対の縦枠８，８に固定されている。なお、図６では、上框４１を省略している。
一対の縦枠８，８は、それぞれアルミニウムを材料に形成されて壁部１２に固定されたアルミ縦枠８１と、樹脂を材料に形成されてアルミ縦枠８１の見付け方向内側に係止された樹脂カバー８２と、を有している。一対の軸部係止部材９，９は、それぞれ樹脂カバー８２の見付け方向内側に配置され、樹脂カバー８２を介した状態でアルミ縦枠８１に固定されている。
【００３５】
軸部係止部材９は、軸部７が挿入される孔部９１ａが形成された孔部形成板部９１と、縦枠８に固定される固定板部９２と、孔部形成板部９１と固定板部９２とを連結する連結板部９３と、を有している。
固定板部９２は、板面が見付け方向を向き高さ方向に長い略長方形状に形成されている。固定板部９２は、ネジなどの固定具によって縦枠８のアルミ縦枠８１に固定されている。
本実施形態では、固定板部９２の上端部および下端部には、それぞれ縦枠８側に突出する突出板部９４，９４が形成されている。これらの突出板部９４，９４は、樹脂カバー８２を貫通し、先端部がアルミ縦枠８１と当接するように構成されている。このため、火災時に樹脂カバー８２が溶融しても突出板部９４，９４がアルミ縦枠８１と当接しているため、軸部係止部材９の位置が安定した状態に維持される。
なお、樹脂カバー８２に切り込みが形成されていて、固定板部９２がアルミ縦枠８１と当接するように構成されている場合は、軸部係止部材９に突出板部９４，９４が設けられていなくてもよい。
【００３６】
孔部形成板部９１は、板面が見付け方向を向き高さ方向に長い略長方形状に形成され、固定板部９２と見付け方向に重なる位置に見付け方向に間隔をあけて配置されている。  孔部形成板部９１に形成された孔部９１ａは、高さ方向に長い略長方形状に形成されている。軸部７の先端部分が孔部９１ａに挿通されると、軸部７の先端部分が固定板部９２と孔部形成板部９１との間に配置され、孔部９１ａの高さ範囲以上の上下方向の移動が拘束されるように構成されている。
【００３７】
また、図５に示すように、本実施形態では、下障子４の上框４１における上框外板部４６２の室外側の面に無目２２の室内側の面と対向するように見付け方向全体にわたって加熱発泡材４９が設けられている。加熱発泡材４９は、例えばシート状に形成され、火災時に所定以上の温度となると発泡し、上框４１の室外側の面と無目２２の室内側の面との隙間を塞ぐように構成されている。
【００３８】
次に、上述した上げ下げ窓の作用・効果について図面を用いて説明する。
上述した本実施形態による上げ下げ窓１では、下障子４の下側に不燃材料で形成された台座６が設けられていることにより、火災時にバランサーが溶解しても下障子４が台座６の上に載った状態となるため、下障子４が下がることを防止することができる。
また、台座６は、室内側の端部が下障子４の見込み方向の重心よりも室内側に配置され、下障子４と上下方向に重なる位置に配置されていることにより、下障子４が室内側に倒れることを防止できる。
そして、火災時に下障子４が下がることを防止できるとともに、下障子４が室内側に倒れることを防止できることにより、上げ下げ窓１の防火性能を向上させることができる。
【００３９】
また、台座６の上板部６３は、上面が室外側から室内側に向かって漸次上側に向かうように傾斜していることにより、下障子４が台座６の上板部６３の上面に載った状態となると、上板部６３の上面に沿って上側が下側よりも室外側となるように傾斜するため、下障子４が室内側に倒れることを防止できる。
【００４０】
また、下枠５の下枠外板部５１５には、高さ方向の中間部に室内側に突出する突出板部５１５ａが形成されている。そして、下障子４の第１下框下板部４４１の室外側の端部近傍は、下枠外板部５１５から室内側に突出する突出部板５１５ａの上側に配置され、上下方向に対向している。これにより、火災時にバランサーが溶解しても下障子４が突出板部５１５ａの上に載った状態となるため、下障子４が下がることを防止することができる。
また、下枠５の突出板部５１５ａの室内側の先端部５１５ｂが上側に屈曲しているとともに、下障子４の第１下框下板部４４１の室外側の端部に下側に突出する第３突出板部４４１ｆが形成されている。これにより、突出板部５１５の上に載った下障子４が突出板部５１５ａからすべり落ちようとしても、下障子４の第３突出板部４４１ｆが突出板部５１５ａの室内側の先端部５１５ｂと係合された状態となり、下障子４から突出板部５１５ａから滑り落ちて下がることを防止することができる。
【００４１】
また、下障子４の上框の見付け方向の両端部にはそれぞれ見付け方向外側に突出可能に支持された軸部７，７設けられ、一対の縦枠８，８には軸部７，７の先端部分が挿抜可能な孔部９１ａが形成された軸部係止部材９が設けられている。軸部７，７がそれぞれ軸部係止部材９の孔部９１ａに挿入されて軸部係止部材９に係止されることで、下障子４の上框４１が一対の縦枠８，８に係止されるため、火災時に下障子４が下がることを防止できるとともに、下障子４が室内側に倒れることを防止できる。また、下障子４の上下方向の移動が拘束されるため、火災時の熱によって下障子４が上側に延びることを防止できる。
さらに、下障子４が室内側に倒れることも防止できるため、下枠５と下障子４の下框４２との間および無目２２と下障子４の上框４１との間に隙間が生じることを防止できる。
また、無目２２と下障子４の上框４１との間に加熱発泡材４９が設けられていることにより、火災時に仮に下障子４が傾いて無目２２と下障子４の上框４１との間に隙間が生じても、加熱発泡材４９が発泡して無目２２と下障子４の上框４１との隙間を塞ぐことができる。
【００４２】
以上、本発明による上げ下げ窓の実施形態について説明したが、本発明は上記の実施形態に限定されるものではなく、その趣旨を逸脱しない範囲で適宜変更可能である。
例えば、上記の実施形態では、台座６の上板部６３の上面は、室外側から室内側に向かって漸次上側に向かうように傾斜しているが、このように傾斜していなくてもよい。
また、上記の実施形態では、下枠５の下枠外板部５１５には、高さ方向の中間部に室内側に突出する突出板部５１５ａが設けられている。そして、下障子４の第１下框下板部４４１の室外側の端部近傍は、下枠外板部５１５から室内側に突出する突出部板５１５ａの上側に配置され、上下方向に対向しているが、突出板部５１５ａが設けられていなくてもよい。
【００４３】
また、上記の実施形態では、下障子４の上框の見付け方向の両端部にはそれぞれ見付け方向外側に突出可能に支持された軸部７，７設けられ、一対の縦枠８，８には軸部７，７の先端部分が挿抜可能な孔部９１ａが形成された軸部係止部材９が設けられているが、軸部７，７や軸部係止部材９が設けられていなくてもよい。また、軸部７，７や軸部係止部材９の形状は上記以外でもよい。
また、上記の実施形態では、台座６は、下枠５の見付け方向の両端部近傍にそれぞれ設けられているが、下枠５に対して台座６が設けられる位置や数は適宜設定されてよい。なお、台座６は、下枠５に対してバランスよく配置されることが好ましい。
また、上記の実施形態では、無目２２と下障子４の上框４１との間に加熱発泡材４９が設けられているが、設けられていなくてもよい。また、加熱発泡材は、適宜設置されていてもよい。
【符号の説明】
【００４４】
１  上げ下げ窓
２  枠
３  上障子
４  下障子
５  下枠
６  台座
７  軸部
８  縦枠
９  軸部係止部材
１２  壁部（躯体）
４９  加熱発泡材
４４１ｆ  第３突出板部（係合突片）
【図１】
0006676442.tif 000002
【図２】
0006676442.tif 000003
【図３】
0006676442.tif 000004
【図４】
0006676442.tif 000005
【図５】
0006676442.tif 000006
【図６】
0006676442.tif 000007
【図７】
0006676442.tif 000008